(57)【特許請求の範囲】
【請求項１】
画像を読み取る読取手段と、
前記読取手段によって読み取られた画像を示す画像情報を記憶する記憶手段と、
通信先からの要求に応じて、前記画像情報の無線通信による提供を受ける権利であって、前記記憶手段での前記画像情報の記憶先アドレスを含む権利を前記通信先に付与する付与手段と、
前記通信先との前記無線通信の接続が確立された状態で前記通信先が前記付与手段によって付与された前記権利を行使した場合に、前記権利に含まれる前記記憶先アドレスの前記画像情報を前記無線通信で該通信先に対して送信することによって提供する提供手段と、
を含む画像処理装置。
【請求項２】
前記付与手段は、前記通信先との前記無線通信の接続が確立されたとの接続確立条件を含む特定の条件を満足した場合、前記通信先からの前記要求に応じて前記権利を前記通信先に付与する請求項１に記載の画像処理装置。
【請求項３】
前記付与手段が前記無線通信により前記権利を前記通信先に送信することによって付与する場合に前記通信先から前記要求があったにも拘らず前記接続確立条件を、前記画像情報を転送する条件として予め定められた期間満足しない場合、前記画像情報を予め定められた転送先に転送する転送手段を更に含み、
前記提供手段は、前記通信先が前記付与手段によって付与された前記権利を行使した場合に前記転送先から前記画像情報を取得し、取得した画像情報を前記無線通信で該通信先に対して送信することによって提供する請求項２に記載の画像処理装置。
【請求項４】
前記権利を、前記転送先を特定する転送先特定情報を含んで構成した請求項３に記載の画像処理装置。
【請求項５】
前記通信先から前記要求があったにも拘らず前記接続確立条件を、前記画像情報を消去する条件として予め定められた期間満足しない場合に前記画像情報を消去する消去手段を更に含む請求項２〜請求項４の何れか１項に記載の画像処理装置。
【請求項６】
前記画像情報を消去するか否かを示す消去情報を予め記憶した記憶手段を更に含み、
前記消去手段は、前記通信先から前記要求があったにも拘らず前記接続確立条件を、前記画像情報を消去する条件として予め定められた期間満足せず、かつ前記記憶手段に記憶されている前記消去情報が前記画像情報を消去することを示している場合に前記画像情報を消去する請求項５に記載の画像処理装置。
【請求項７】
前記付与手段は、前記通信先との前記無線通信の接続が確立されている場合に前記権利を前記無線通信により前記通信先に送信することによって付与し、前記通信先との前記無線通信の接続が確立されていない場合に前記無線通信で用いる通信手段とは異なる他の通信手段を用いて前記権利を前記通信先に送信することによって付与する請求項１〜請求項６の何れか１項に記載の画像処理装置。
【請求項８】
前記通信手段を、アドホックモードにより通信を行う通信手段とし、
前記他の通信手段を、インフラストラクチャモードにより通信を行う通信手段とした請求項７に記載の画像処理装置。
【請求項９】
前記通信手段を、アドホックモードにより通信を行う通信手段とし、
前記他の通信手段を、電子メールを用いて通信を行う通信手段とした請求項７に記載の画像処理装置。
【請求項１０】
前記通信先との前記無線通信の接続状態が、該接続が確立されている状態から該接続が切断された状態に遷移した場合に該接続が切断されたことの前記通信先への通知、及び該接続が切断されている状態から該接続が確立された状態に遷移した場合に該接続が確立されたことの前記通信先への通知の少なくとも一方を実行する通知実行手段を更に含む請求項１〜請求項９の何れか１項に記載の画像処理装置。
【請求項１１】
請求項１〜請求項１０の何れか１項に記載の画像処理装置と、
前記通信先として、前記画像処理装置に対して前記権利の提供を要求し、要求に応じて前記付与手段によって前記権利が付与され、付与された権利を行使することによって前記提供手段から前記無線通信で送信された前記画像情報を受信する通信装置と、
を含む画像処理システム。
【請求項１２】
前記請求項１〜請求項９の何れか１項に記載の画像処理装置と、
前記通信先として、前記画像処理装置に対して前記権利の提供を要求し、要求に応じて前記付与手段によって前記権利が付与され、付与された権利を行使することによって前記提供手段から前記無線通信で送信された前記画像情報を受信する通信装置と、を含み、
前記画像処理装置は、前記通信装置との前記無線通信の接続状態が、該接続が確立されている状態から該接続が切断された状態に遷移した場合に該接続が切断されたことの前記通信装置への通知、及び該接続が切断されている状態から該接続が確立された状態に遷移した場合に該接続が確立されたことの前記通信装置への通知の少なくとも一方を実行する通知実行手段を有し、
前記通信装置は、前記通知実行手段から該接続が切断されたことが通知された場合に該接続が切断されたことを示す情報を表示し、前記通知実行手段から該接続が確立されたことが通知された場合に該接続が確立されたことを示す情報を表示する表示手段を有する画像処理システム。
【請求項１３】
請求項１〜請求項１０の何れか１項に記載の画像処理装置に対して前記権利の提供を要求する要求手段と、
前記要求手段による要求に応じて前記付与手段によって付与された前記権利を受け取る受取手段と、
前記受取手段によって受け取られた前記権利を行使する行使手段と、
前記行使手段によって前記権利を行使することによって前記提供手段から前記無線通信で送信された前記画像情報を受信する受信手段と、
を含む通信装置。
【請求項１４】
前記画像処理装置との前記無線通信の接続状態が、該接続が確立されている状態から該接続が切断された状態に遷移した場合に該接続が切断されたこと、及び該接続が切断されている状態から該接続が確立された状態に遷移した場合に該接続が確立されたことの少なくとも一方が通知され、該接続が切断されたことが通知された場合に該接続が切断されたことを示す情報を表示し、該接続が確立されたことが通知された場合に該接続が確立されたことを示す情報を表示する表示手段を更に含む請求項１３に記載の通信装置。
【請求項１５】
画像を読み取る読取手段及び前記読取手段によって読み取られた画像を示す画像情報を記憶する記憶手段を含む画像処理装置を制御するコンピュータを、
通信先からの要求に応じて、前記画像情報の無線通信による提供を受ける権利であって、前記記憶手段での前記画像情報の記憶先アドレスを含む権利を前記通信先に付与する付与手段、
並びに、前記通信先との前記無線通信の接続が確立された状態で前記通信先が前記付与手段によって付与された前記権利を行使した場合に、前記権利に含まれる前記記憶先アドレスの前記画像情報を前記無線通信で該通信先に対して送信することによって提供する提供手段として機能させるためのプログラム。
【請求項１６】
コンピュータを、
請求項１〜請求項１０の何れか１項に記載の画像処理装置に対して前記権利の提供を要求する要求手段、
前記要求手段による要求に応じて前記付与手段によって付与された前記権利を受け取る受取手段、
前記受取手段によって受け取られた前記権利を行使する行使手段、
及び、前記行使手段によって前記権利を行使することによって前記提供手段から前記無線通信で送信された前記画像情報を受信する受信手段として機能させるためのプログラム。
【発明の詳細な説明】
【技術分野】
【０００１】
本発明は、画像処理装置、画像処理システム、通信装置、及びプログラムに関する。
【背景技術】
【０００２】
特許文献１には、画像形成装置が携帯情報端末から送信されたデータの種類に応じた操作画面を表示することにより、ユーザの操作性を向上させる技術が開示されている。
【０００３】
特許文献２には、データを携帯情報端末に一度蓄積しておき、携帯情報端末が印刷装置に近付いたときにデータを印刷装置に送信することによって印刷を行う技術が開示されている。
【先行技術文献】
【特許文献】
【０００４】
【特許文献１】特開２０１１−８６８号公報
【特許文献２】特開２０１１−８５６４号公報
【発明の概要】
【発明が解決しようとする課題】
【０００５】
本発明の課題は、画像を読み取って得た画像情報の送信先への無線送信を中断せずに完遂する画像処理装置、画像処理システム、通信装置、及びプログラムを提供することである。
【課題を解決するための手段】
【０００６】
上記目的を達成するために、請求項１に記載の画像処理装置を、画像を読み取る読取手段と、前記読取手段によって読み取られた画像を示す画像情報を記憶する記憶手段と、通信先からの要求に応じて、前記画像情報の無線通信による提供を受ける権利であって、前記記憶手段での前記画像情報の記憶先アドレスを含む権利を前記通信先に付与する付与手段と、前記通信先との前記無線通信の接続が確立された状態で前記通信先が前記付与手段によって付与された前記権利を行使した場合に、前記権利に含まれる前記記憶先アドレスの前記画像情報を前記無線通信で該通信先に対して送信することによって提供する提供手段と、を含んで構成した。
【０００７】
請求項１に記載の画像処理装置を、請求項２に記載の発明のように、前記付与手段が、前記通信先との前記無線通信の接続が確立されたとの接続確立条件を含む特定の条件を満足した場合、前記通信先からの前記要求に応じて前記権利を前記通信先に付与するものとしても良い。
【０００８】
請求項２に記載の画像処理装置を、請求項３に記載の発明のように、前記付与手段が前記無線通信により前記権利を前記通信先に送信することによって付与する場合に前記通信先から前記要求があったにも拘らず前記接続確立条件を、前記画像情報を転送する条件として予め定められた期間満足しない場合、前記画像情報を予め定められた転送先に転送する転送手段を更に含み、前記提供手段が、前記通信先が前記付与手段によって付与された前記権利を行使した場合に前記転送先から前記画像情報を取得し、取得した画像情報を前記無線通信で該通信先に対して送信することによって提供するものとしても良い。
【０００９】
請求項３に記載の画像処理装置を、請求項４に記載の発明のように、前記権利を、前記転送先を特定する転送先特定情報を含んで構成したものとしても良い。
【００１０】
請求項２〜請求項４の何れか１項に記載の画像処理装置を、請求項５に記載の発明のように、前記通信先から前記要求があったにも拘らず前記接続確立条件を、前記画像情報を消去する条件として予め定められた期間満足しない場合に前記画像情報を消去する消去手段を更に含むものとしても良い。
【００１１】
請求項５に記載の画像処理装置を、請求項６に記載の発明のように、前記画像情報を消去するか否かを示す消去情報を予め記憶した記憶手段を更に含み、前記消去手段が、前記通信先から前記要求があったにも拘らず前記接続確立条件を、前記画像情報を消去する条件として予め定められた期間満足せず、かつ前記記憶手段に記憶されている前記消去情報が前記画像情報を消去することを示している場合に前記画像情報を消去するものとしても良い。
【００１２】
請求項１〜請求項６の何れか１項に記載の画像処理装置を、請求項７に記載の発明のように、前記付与手段が、前記通信先との前記無線通信の接続が確立されている場合に前記権利を前記無線通信により前記通信先に送信することによって付与し、前記通信先との前記無線通信の接続が確立されていない場合に前記無線通信で用いる通信手段とは異なる他の通信手段を用いて前記権利を前記通信先に送信することによって付与するものとしても良い。
【００１３】
請求項７に記載の画像処理装置を、請求項８に記載の発明のように、前記通信手段を、アドホックモードにより通信を行う通信手段とし、前記他の通信手段を、インフラストラクチャモードにより通信を行う通信手段としたものとしても良い。
【００１４】
請求項７に記載の画像処理装置を、請求項９に記載の発明のように、前記通信手段を、アドホックモードにより通信を行う通信手段とし、前記他の通信手段を、電子メールを用いて通信を行う通信手段としたものとしても良い。
【００１５】
請求項１〜請求項９の何れか１項に記載の画像処理装置を、請求項１０に記載の発明のように、前記通信先との前記無線通信の接続状態が、該接続が確立されている状態から該接続が切断された状態に遷移した場合に該接続が切断されたことの前記通信先への通知、及び該接続が切断されている状態から該接続が確立された状態に遷移した場合に該接続が確立されたことの前記通信先への通知の少なくとも一方を実行する通知実行手段を更に含むものとしても良い。
【００１６】
上記目的を達成するために、請求項１１に記載の画像処理システムを、請求項１〜請求項１０の何れか１項に記載の画像処理装置と、前記通信先として、前記画像処理装置に対して前記権利の提供を要求し、要求に応じて前記付与手段によって前記権利が付与され、付与された権利を行使することによって前記提供手段から前記無線通信で送信された前記画像情報を受信する通信装置と、を含んで構成した。
【００１７】
上記目的を達成するために、請求項１２に記載の画像処理システムは、前記請求項１〜請求項９の何れか１項に記載の画像処理装置と、前記通信先として、前記画像処理装置に対して前記権利の提供を要求し、要求に応じて前記付与手段によって前記権利が付与され、付与された権利を行使することによって前記提供手段から前記無線通信で送信された前記画像情報を受信する通信装置と、を含み、前記画像処理装置は、前記通信装置との前記無線通信の接続状態が、該接続が確立されている状態から該接続が切断された状態に遷移した場合に該接続が切断されたことの前記通信装置への通知、及び該接続が切断されている状態から該接続が確立された状態に遷移した場合に該接続が確立されたことの前記通信装置への通知の少なくとも一方を実行する通知実行手段を有し、前記通信装置は、前記通知実行手段から該接続が切断されたことが通知された場合に該接続が切断されたことを示す情報を表示し、前記通知実行手段から該接続が確立されたことが通知された場合に該接続が確立されたことを示す情報を表示する表示手段を有する、とされている。
ものとしても良い。
【００１８】
上記目的を達成するために、請求項１３に記載の通信装置を、請求項１〜請求項１０の何れか１項に記載の画像処理装置に対して前記権利の提供を要求する要求手段と、前記要求手段による要求に応じて前記付与手段によって付与された前記権利を受け取る受取手段と、前記受取手段によって受け取られた前記権利を行使する行使手段と、前記行使手段によって前記権利を行使することによって前記提供手段から前記無線通信で送信された前記画像情報を受信する受信手段と、を含んで構成した。
【００１９】
請求項１３に記載の通信装置を、請求項１４に記載の発明のように、前記画像処理装置との前記無線通信の接続状態が、該接続が確立されている状態から該接続が切断された状態に遷移した場合に該接続が切断されたこと、及び該接続が切断されている状態から該接続が確立された状態に遷移した場合に該接続が確立されたことの少なくとも一方が通知され、該接続が切断されたことが通知された場合に該接続が切断されたことを示す情報を表示し、該接続が確立されたことが通知された場合に該接続が確立されたことを示す情報を表示する表示手段を更に含んで構成しても良い。
【００２０】
上記目的を達成するために、請求項１５に記載のプログラムは、画像を読み取る読取手段及び前記読取手段によって読み取られた画像を示す画像情報を記憶する記憶手段を含む画像処理装置を制御するコンピュータを、通信先からの要求に応じて、前記画像情報の無線通信による提供を受ける権利であって、前記記憶手段での前記画像情報の記憶先アドレスを含む権利を前記通信先に付与する付与手段、並びに、前記通信先との前記無線通信の接続が確立された状態で前記通信先が前記付与手段によって付与された前記権利を行使した場合に、前記権利に含まれる前記記憶先アドレスの前記画像情報を前記無線通信で該通信先に対して送信することによって提供する提供手段として機能させるためのプログラム、とされている。
【００２１】
上記目的を達成するために、請求項１６に記載のプログラムを、請求項１〜請求項１０の何れか１項に記載の画像処理装置に対して前記権利の提供を要求する要求手段、前記要求手段による要求に応じて前記付与手段によって付与された前記権利を受け取る受取手段、前記受取手段によって受け取られた前記権利を行使する行使手段、及び、前記行使手段によって前記権利を行使することによって前記提供手段から前記無線通信で送信された前記画像情報を受信する受信手段としてコンピュータを機能させるためのものとした。
【発明の効果】
【００２２】
請求項１、請求項１１、請求項１３、請求項１５、及び請求項１６に係る発明によれば、通信先からの要求に応じて、読取手段によって読み取られた画像を示す画像情報の無線通信による提供を受ける権利を通信先に付与し、通信先との無線通信の接続が確立された状態で通信先が付与された権利を行使した場合に画像情報を無線通信で通信先に対して送信することによって提供する構成を有しない場合に比べ、画像を読み取って得た画像情報の送信先への無線送信が中断されずに完遂される、という効果が得られる。
【００２３】
請求項２に係る発明によれば、通信先との無線通信の接続が確立されたとの接続確立条件を含む特定の条件を満足した場合、通信先からの要求に応じて権利を通信先に付与する構成を有しない場合に比べ、通信先が権利を行使した場合に画像情報が通信先に提供されないという事態の発生が抑制される、という効果が得られる。
【００２４】
請求項３に係る発明によれば、無線通信により権利を通信先に送信することによって付与する場合に通信先から要求があったにも拘らず接続確立条件を、画像情報を転送する条件として予め定められた期間満足しない場合、画像情報を予め定められた転送先に転送する転送手段を更に含み、提供手段が、通信先が付与された権利を行使した場合に転送先から画像情報を取得し、取得した画像情報を無線通信で通信先に対して送信することによって提供するので、未だに通信先に送信されていない画像情報が特定の記憶領域に滞留するという事態の発生が抑制される、という効果が得られる。
【００２５】
請求項４に係る発明によれば、権利を、転送先を特定する転送先特定情報を含んで構成しない場合に比べ、迅速かつ正確に画像情報の提供が受けられる、という効果が得られる。
【００２６】
請求項５に係る発明によれば、通信先から要求があったにも拘らず接続確立条件を、画像情報を消去する条件として予め定められた期間満足しない場合に画像情報を消去する構成を有しない場合に比べ、未だに通信先に送信されていない画像情報が特定の記憶領域に滞留するという事態の発生が抑制されると共に、画像情報が機密性を有する場合には画像情報の外部流出が抑制される、という効果が得られる。
【００２７】
請求項６に係る発明によれば、画像情報を消去するか否かを示す消去情報を記憶手段に予め記憶し、通信先から要求があったにも拘らず接続確立条件を、画像情報を消去する条件として予め定められた期間満足せず、かつ記憶手段に記憶されている消去情報が画像情報を消去することを示している場合に画像情報を消去する構成を有しない場合に比べ、未だに通信先に送信されていない画像情報が特定の記憶領域に滞留するという事態の発生を抑制すると共に、画像情報が機密性を有する場合には画像情報の外部流出を抑制するにあたって利用者の都合が反映される、という効果が得られる。
【００２８】
請求項７に係る発明によれば、通信先との無線通信の接続が確立されている場合に権利を無線通信により通信先に送信することによって付与し、通信先との無線通信の接続が確立されていない場合に無線通信で用いる通信手段とは異なる他の通信手段を用いて権利を通信先に送信することによって付与する構成を有しない場合に比べ、通信先に画像情報が提供されないという事態の発生が回避される、という効果が得られる。
【００２９】
請求項８に係る発明によれば、通信手段を、アドホックモードにより通信を行う通信手段とし、他の通信手段を、インフラストラクチャモードにより通信を行う通信手段とする構成を有しない場合に比べ、通信先に画像情報が提供されないという事態の発生が容易に回避される、という効果が得られる。
【００３０】
請求項９に係る発明によれば、通信手段を、アドホックモードにより通信を行う通信手段とし、他の通信手段を、電子メールを用いて通信を行う通信手段とする構成を有しない場合に比べ、通信先に画像情報が提供されないという事態の発生が容易に回避される、という効果が得られる。
【００３１】
請求項１０、請求項１２、及び請求項１４に係る発明によれば、通信先との無線通信の接続状態が、接続が確立されている状態から接続が切断された状態に遷移した場合に接続が切断されたことの通信先への通知、及び接続が切断されている状態から接続が確立された状態に遷移した場合に接続が確立されたことの通信先への通知の少なくとも一方を実行する構成を有しない場合に比べ、権利を行使する適切な時期が容易かつ正確に把握される、という効果が得られる。
【図面の簡単な説明】
【００３２】
【図１】実施の形態に係る画像処理システムの概略構成の一例を示す模式図である。
【図２】実施の形態に係る画像処理システムの構成の一例を示す構成図である。
【図３】実施の形態に係る画像処理装置が有するデータベースの構成の一例を示す模式図である。
【図４】実施の形態に係る権利付与処理プログラムの処理の流れの一例を示すフローチャートである。
【図５】実施の形態に係る通信状態監視処理プログラムの処理の流れの一例を示すフローチャートである。
【図６】実施の形態に係る画像提供処理プログラムの処理の流れの一例を示すフローチャートである。
【図７】実施の形態に係る通知表示処理プログラムの処理の流れの一例を示すフローチャートである。
【図８】実施の形態に係る権利行使処理プログラムの処理の流れの一例を示すフローチャートである。
【図９】実施の形態に係る権利付与処理プログラムの処理の流れの変形例を示すフローチャートである。
【図１０】実施の形態に係る画像処理システムの構成の変形例を示す構成図である。
【発明を実施するための形態】
【００３３】
以下、図面を参照して、本発明を実施するための実施の形態の一例について詳細に説明する。
【００３４】
図１には、本実施の形態に係る画像処理システムの一例である画像処理システム１０が模式的に示されている。図１に示すように、画像処理システム１０は、画像処理装置１２及び通信装置１４を含んで構成されている。画像処理装置１０は、画像を光学的に読み取って画像情報を生成する画像読取機能、及び画像読取機能により画像を光学的に読み取って得た画像情報や外部から取得した画像情報に基づいて記録媒体（一例として用紙）に画像を形成する画像形成機能を備えている。一方、通信装置１４は、いわゆる一般的な携帯電話機の機能、及びタッチパネル・ディスプレイを備えている。また、画像処理装置１２及び通信装置１４は共に、相互に情報を授受するための通信機能を備えている。画像処理装置１２及び通信装置１４は、互いに通信機能を働かせることにより、アドホックモードによる無線通信（以下、「アドホック通信」という。）及びインターネット回線を利用したインターネット通信により相互に情報の授受を行う。なお、本実施の形態に係る画像処理システム１０では、画像処理装置１２と通信装置１４とで行われるアドホック通信に係る通信エリアは一例として図１に示す破線の楕円内のエリアに限られている。従って、画像処理装置１２及び通信装置１４の少なくとも一方が通信エリアから外れると、画像処理装置１２と通信装置１４とでアドホック通信が行えなくなる。図１に示す例では、通信装置１４が通信エリア外に移動することで画像処理装置１２と通信装置１４とでアドホック通信が行えない態様も示されている。
【００３５】
図２は、本実施の形態に係る画像処理システム１０の構成の一例を示す構成図である。図２に示すように、画像処理システム１０に含まれる画像処理装置１２は、画像処理装置１２全体の動作を司るＣＰＵ（Central Processing Unit：中央処理装置）１２Ａと、ＣＰＵ１２Ａによる各種処理プログラムの実行時のワークエリア等として用いられるＲＡＭ（Random Access Memory）１２Ｂと、各種処理プログラムや各種パラメータなどが予め記憶されたＲＯＭ（Read Only Memory）１２Ｃと、各種情報を記憶するために用いられる二次記憶部（ここでは一例としてハードディスク装置）１２Ｄと、を含んで構成されている。
【００３６】
また、画像処理装置１２は、タッチパネル・ディスプレイを含むユーザ・インタフェースを備えている。このユーザ・インタフェースは、受付部１２Ｅ及び表示部１２Ｆを含んで構成されている。受付部１２Ｅは、タッチパネル・ディスプレイに含まれるタッチパネルの他に、十字キー、各種設定キー、及び電源ボタンなどを有し、各種情報を受け付ける。表示部１２Ｆは、タッチパネル・ディスプレイに含まれるディスプレイを有し、各種情報を表示する。
【００３７】
また、画像処理装置１２は、画像情報により示される画像を記録媒体としての記録媒体に形成する画像形成部１２Ｇと、イメージセンサを用いて原稿を走査することにより画像情報を取得する読取部１２Ｈと、を含んで構成されている。なお、本実施の形態では、画像形成部１２Ｇとして、ゼログラフィプリンタを適用しているが、これに限らず、インクジェットプリンタや、サーマルプリンタ、ドットインパクトプリンタなどを適用してもよい。また、本実施の形態では、読取部１２Ｈとして、自動原稿送り装置（所謂ＡＤＦ）を装備したフラッドヘッドタイプのスキャナであって、ＣＣＤ(Charge Coupled Devices)光学縮小方式のイメージスキャナを適用しているが、これに限らず、ハンディタイプやドラムタイプのイメージスキャナを適用してもよいし、ＣＣＤ(Charge Coupled Devices)光学縮小方式のイメージスキャナに限らず、ＣＩＳ(Contact Image Sensor)密着センサ方式のイメージスキャナなどの他の撮像素子を備えたイメージスキャナを適用してもよい。
【００３８】
また、画像処理装置１２は、インターネット回線１６を介して通信装置１４に接続され、電子メールによりインターネット回線１６上のサーバ装置１８を経由して通信装置１４と情報の送受信を行うＥメール送受信部１２Ｊと、アドホック通信による通信装置１４との各種情報の授受を司るアドホック通信インタフェース（Ｉ／Ｆ）１２Ｋと、通信回線（一例としてＬＡＮ（Local Area Network））２０を介して端末装置２２に接続され、端末装置２２との各種情報の授受を司る外部Ｉ／Ｆ１２Ｌと、を含んで構成されている。なお、通信回線２０にはサーバ装置２４が接続されており、このサーバ装置２４は、通信回線２０を介して画像処理装置１２と各種情報の授受を行う。また、サーバ装置２４は、二次記憶部（一例としてハードディスク装置）２４Ａを有しており、画像処理装置１２から送信された特定の情報（一例として読取部１２Ｈにより読み取って得られた画像情報）を受信し、受信した情報を二次記憶部２４Ａの特定の記憶領域に記憶すると共に、記憶先のアドレスを画像処理装置１２に通知する。
【００３９】
ＣＰＵ１２Ａ、ＲＡＭ１２Ｂ、ＲＯＭ１２Ｃ、二次記憶部１２Ｄ、受付部１２Ｅ、表示部１２Ｆ、画像形成部１２Ｇ、読取部１２Ｈ、Ｅメール送受信部１２Ｊ、アドホック通信Ｉ／Ｆ１２Ｋ、及び外部Ｉ／Ｆ１２Ｌは、アドレスバス、制御バス、及びシステムバスなどを含むバス１２Ｍにより電気的に相互に接続されている。従って、ＣＰＵ１２Ａは、ＲＡＭ１２Ｂ、ＲＯＭ１２Ｃ及び二次記憶部１２Ｄに対するアクセスと、受付部１２Ｅで受け付けられた情報の取得と、表示部１２Ｆに対する各種情報の表示と、画像形成部１２Ｇからの各種情報の取得と、画像形成部１２Ｇの作動の制御と、読取部１２Ｇからの各種情報の取得と、読取部１２Ｇの作動の制御と、通信装置１２とのＥメール送受信部１２Ｊを介した各種情報の送受信と、通信装置１２とのアドホック通信Ｉ／Ｆ１２Ｋを介した各種情報の送受信と、端末装置２２との外部Ｉ／Ｆ１２Ｌを介した各種情報の送受信と、を各々行う。
【００４０】
ところで、本実施の形態に係る画像処理装置１２は、画像処理装置１２の読取部１２Ｈで画像を読み取って得られた画像情報をアドホック通信により通信装置１４に送信するように構成されている。また、本実施の形態に係る画像処理装置１２では、画像情報の通信装置１４への送信を中断せずに完遂させるために後述する権利付与処理が実行される。この権利付与処理を実現するために、本実施の形態に係る画像処理装置１２の二次記憶１２Ｄには一例として図３に示すようにデータベース２３が構築されている。データベース２３は、受付部１２Ｅで受け付けられた特定の情報に基づいて事前に構築され、受付部１２Ｅを介して書き換え自在に構成されている。データベース２３は、画像処理装置１２又は通信装置１４の利用者を特定するＩＤ（例えば利用者毎に予め付与されているログイン情報）毎に、アドホック通信に係る通信接続が予め定められた期間経過しても確立されない場合に画像情報をサーバ装置２４に転送するか否かを示す転送情報と、アドホック通信に係る通信接続が予め定められた期間経過しても確立されない場合にアドホック通信に係る通信接続を再実行することなく画像情報を消去するか否かを示す消去情報と、アドホック通信に係る通信接続が確立しない場合に、画像情報の所在を特定するアドレスを電子メールで送信するか否かを示すＥメール情報と、が対応付けられて構成されている。本実施の形態では、受付部１２ＥでＩＤが受け付けられ、受け付けられたＩＤ毎に受付部１２Ｅで受け付けられた転送情報、消去情報、及びＥメール情報を対応付けることによってデータベース２３が構築される。なお、図３に示す例では、“０００１”とのＩＤには、画像情報をサーバ装置２４に転送することを示す転送情報と、通信接続を再実行することなく画像情報を消去しないことを示す消去情報と、アドレスを電子メールで送信することを示すＥメール情報と、が対応付けられており、“０００２”とのＩＤには、画像情報をサーバ装置２４に転送しないことを示す転送情報と、通信接続を再実行することなく画像情報を消去することを示す消去情報と、アドレスを電子メールで送信することを示すＥメール情報と、が対応付けられており、“９９９９”とのＩＤには、画像情報をサーバ装置２４に転送することを示す転送情報と、通信接続を再実行することなく画像情報を消去することを示す消去情報と、アドレスを電子メールで送信しないことを示すＥメール情報と、が対応付けられている。
【００４１】
一方、通信装置１４は、通信装置１４全体の動作を司るＣＰＵ１４Ａと、ＣＰＵ１４Ａによる各種処理プログラムの実行時のワークエリア等として用いられるＲＡＭ１４Ｂと、各種処理プログラムや各種パラメータなどが予め記憶されたＲＯＭ１４Ｃと、各種情報を記憶するために用いられる二次記憶部（ここでは、一例としてフラッシュメモリ）１４Ｄと、通話相手から受話する受話部１４Ｅと、通話相手に送話する送話部１４Ｆと、各種情報を入力する（受け付ける）ために用いられる各種キーやタッチパネル・ディスプレイに含まれるタッチパネルなどを含んで構成された受付部１４Ｇと、タッチパネル・ディスプレイに含まれるディスプレイを有し、各種情報を表示する表示部１４Ｈと、電子メールによりインターネット回線１６上のサーバ装置１８を経由して画像処理装置１２と情報の送受信を行うＥメール送受信部１４Ｊと、アドホック通信による画像処理装置１２との各種情報の授受を司るアドホック通信Ｉ／Ｆ１４Ｋと、を含んで構成されている。
【００４２】
ＣＰＵ１４Ａ、ＲＡＭ１４Ｂ、ＲＯＭ１４Ｃ、二次記憶部１４Ｄ、受話部１４Ｅ、送話部１４Ｆ、受付部１４Ｇ、表示部１４Ｈ、Ｅメール送受信部１４Ｊ、及びアドホック通信Ｉ／Ｆ１４Ｋは、アドレスバス、制御バス、及びシステムバスなどを含むバス１４Ｍにより電気的に相互に接続されている。従って、ＣＰＵ１４Ａは、ＲＡＭ１４Ｂ、ＲＯＭ１４Ｃ及び二次記憶部１４Ｄに対するアクセスと、受話部１４Ｅからの情報の取得と、受話部１４Ｅの作動の制御と、送話部１４Ｆからの情報の取得と、送話部１４Ｆの作動の制御と、受付部１２Ｇで受け付けられた情報の取得と、表示部１４Ｈに対する各種情報の表示と、画像処理装置１２とのＥメール送受信部１４Ｊを介した各種情報の送受信と、画像処理装置１２とのアドホック通信Ｉ／Ｆ１４Ｋを介した各種情報の送受信と、を各々行う。
【００４３】
ところで、図１に示すように通信装置１４が通信エリアから外れた場合（通信圏外に移動した場合）やアドホック通信に係る通信接続を切断しなければ使えない機能が通信装置１４に備えられていてその機能を使用した場合、画像処理装置１２と通信装置１４とのアドホック通信に係る通信接続が切断され、アドホック通信による送信が行えない状態になる。そのため、画像処理装置１２の読取部１２Ｈで画像を読み取って得られた画像情報のアドホック通信による通信装置１４への送信が中断される（通信が途絶える）という事態が発生する。そこで、本実施の形態に係る画像処理システム１０では、画像処理装置１２の読取部１２Ｈで画像を読み取って得られた画像情報の通信装置１４へのアドホック通信による送信を１回の通信接続で完遂させるために、画像処理装置１２によって権利付与処理、通信状態監視処理、及び画像提供処理が実行され、通信装置１４によって通知表示処理及び権利行使処理が実行される。画像処理装置１２では、権利付与処理、通信状態監視処理、及び画像提供処理を実現するために権利付与処理、通信状態監視処理、及び画像提供処理の各々に含まれる各種処理がソフトウェア構成によって実現され、通信装置１４では、通知表示処理及び権利行使処理に含まれる各種処理がソフトウェア構成によって実現される。その一例としては、コンピュータを利用してプログラムを実行する形態が挙げられる。しかし、このようなソフトウェア構成による実現に限られるものではなく、ハードウェア構成や、ハードウェア構成とソフトウェア構成との組み合わせによって実現しても良いことは言うまでもない。
【００４４】
以下では、本実施の形態に係る画像処理装置１２のＣＰＵ１２Ａが権利付与処理プログラムを実行することにより権利付与処理を実現する場合、ＣＰＵ１２Ａが通信状態監視処理プログラムを実行することにより通信状態監視処理を実現する場合、及びＣＰＵ１２Ａが画像提供処理プログラムを実行することにより画像提供処理を実現する場合、並びに、本実施の形態に係る通信装置１４のＣＰＵ１４Ａが通知表示処理プログラムを実行することにより通知表示処理を実現する場合、及びＣＰＵ１４Ａが権利行使処理プログラムを実行することにより権利行使処理を実現する場合について説明する。この場合、権利付与処理プログラム、通信状態監視処理プログラム、及び画像提供処理プログラムをＲＯＭ１２Ｃに、通知表示処理プログラム及び権利行使処理プログラムをＲＯＭ１４Ｃに各々予め記憶させておく形態や、記憶内容がコンピュータによって読み取られる記録媒体に記憶された状態で提供される形態、有線または無線による通信手段を介して配信される形態等を適用しても良い。
【００４５】
図４は、画像を読み取って得た画像情報を通信装置１４にアドホック通信で送信する読取送信指示が受付部１２Ｅによって受け付けられた場合にＣＰＵ１２Ａによって実行される権利付与処理プログラムの処理の流れの一例を示すフローチャートである。なお、ここでは、錯綜を回避するために、図３に示すデータベース２３が予め構築されている場合について説明する。また、ここでは、錯綜を回避するために、読取送信指示が受付部１２Ｅで受け付けられた際にアドホック通信に係る通信接続を確立させるためのポーリングを開始する場合について説明する。また、ここでは、錯綜を回避するために、利用者に予め付与されたＩＤが既に受付部１２Ｅによって受け付けられている場合について説明する。また、ここでは、錯綜を回避するために、画像処理装置１２が通信対象とされた通信装置１４に係るＥメールアドレスを既に取得している場合について説明する。
【００４６】
図４のステップ１００では、読取部１２Ｈによる画像の読み取りを開始し、次のステップ１０２にて読取部１２Ｈによる画像の読み取りが完了するまで待機した後、ステップ１０４に移行し、上記ステップ１００，１０２の処理で読み取って得られた画像情報を二次記憶部１２Ｄの予め定められた記憶領域αに記憶した後、ステップ１０６に移行する。ステップ１０６では、アドホック通信に係る通信接続が確立されているか否かを判定し、肯定判定となった場合にはステップ１０８に移行し、画像情報のアドホック通信による提供を受ける権利を示す権利情報を通信装置１４に対して送信することにより通信装置１４に対して画像情報のアドホック通信による提供を受ける権利（以下、単に「権利」という。）の付与を開始した後、ステップ１１０に移行する。なお、上記ステップ１０８〜１１２の処理によって通信装置１４に送信される権利情報には記憶領域αのアドレスを示すアドレス情報が含まれる。また、ステップ１２８の処理が実行された場合には権利情報には後述する転送先アドレス情報が含まれる。
【００４７】
ステップ１１０では、アドホック通信に係る通信接続が切断されたか否かを判定し、肯定判定となった場合にはアドホック通信に係る通信接続を確立させるためのポーリングを再開すると共にステップ１０６に戻る一方、否定判定となった場合にはステップ１１２に移行する。ステップ１１２では、通信装置１４に対する権利の付与が完了（権利情報の通信装置１４に対する送信を完遂）したか否かを判定し、否定判定となった場合にはステップ１１０に戻る一方、肯定判定となった場合には本権利付与処理プログラムを終了する。
【００４８】
一方、ステップ１０６において否定判定となった場合にはステップ１１４に移行し、アドホック通信に係る通信接続を確立させるためのポーリングが開始されてから予め定められた時間（例えば３０秒）経過したか否かを判定し、否定判定となった場合にはステップ１０６に戻る一方、肯定判定となった場合にはステップ１１６に移行する。ステップ１１６では、データベース２３から、現時点で受付部１２Ｅによって受け付けられているＩＤに対応する転送情報を取得し、取得した転送情報が画像情報をサーバ装置２４に転送することを示しているか否かを判定し、肯定判定となった場合にはステップ１１８に移行し、記憶領域αに記憶されている画像情報を特定の転送先に転送した後、ステップ１２０に移行する。本実施の形態では、上記の「特定の転送先」として、サーバ装置２４の二次記憶部２４Ａを適用している。上記ステップ１１８では、画像情報をサーバ装置２４に転送すると、これに応じてサーバ装置２４は転送先のアドレス（二次記憶部２４Ａにおける画像情報の記憶先を特定するアドレス）を示す転送先アドレス情報を画像処理装置１２に送信する。画像処理装置１２は、サーバ装置２４から送信された転送先アドレス情報を受信する。
【００４９】
ステップ１２０では、画像情報を通信装置１４に送信する通信手段がアドホック通信以外に存在するか否かを判定し、肯定判定となった場合にはステップ１２２に移行する。本実施の形態では、アドホック通信以外で画像情報を通信装置１４に送信する通信手段として、Ｅメールによる通信手段が挙げられる。そこで、ステップ１２２では、Ｅメールにより権利情報を通信装置１４に対して送信することにより通信装置１４に対して権利の付与を行った後、本権利付与処理プログラムを終了する。なお、上記ステップ１２２の処理によって通信装置１４に送信される権利情報には転送先アドレス情報が含まれる。
【００５０】
一方、ステップ１１６において否定判定となった場合にはステップ１２４に移行し、データベース２３から、現時点で受付部１２Ｅによって受け付けられているＩＤに対応する消去情報を取得し、取得した消去情報が通信接続を再実行することなく画像情報を消去することを示しているか否かを判定し、肯定判定となった場合にはステップ１２６に移行する一方、否定判定となった場合にはステップ１２８に移行する。ステップ１２６では、記憶領域αから画像情報を消去した後、本権利付与処理プログラムを終了する。
【００５１】
ステップ１２８では、アドホック通信に係る通信接続が確立されているか否かを判定し、肯定判定となった場合にはステップ１０８に移行する一方、否定判定となった場合にはステップ１３０に移行し、上記ステップ１２０又は１２４の処理の実行を終了してから予め定められた時間（例えば３０秒）経過したか否かを判定し、否定判定となった場合にはステップ１２８に戻る一方、肯定判定となった場合にはステップ１３２に移行する。ステップ１３２では、記憶領域αから画像情報を消去した後、本権利付与処理プログラムを終了する。
【００５２】
図５は、画像を読み取って得た画像情報を通信装置１４にアドホック通信で送信する読取送信指示が受付部１２Ｅによって受け付けられた場合に上記権利付与処理プログラムと並行してＣＰＵ１２Ａによって実行される通信状態監視処理プログラムの処理の流れの一例を示すフローチャートである。
【００５３】
図５のステップ２００では、アドホック通信に係る通信接続が確立されているか否かを判定し、肯定判定となった場合にはステップ２０２に移行し、ステップ２０２では、アドホック通信に係る通信接続が確立されたことを示すアドホック通信確立通知情報をアドホック通信により通信装置１４に送信した後、ステップ２０４に移行する。
【００５４】
ステップ２０４では、アドホック通信に係る通信接続が切断されるまで待機した後、ステップ２０６に移行し、通信接続が切断されたことを通信装置１４に通知する通信手段がアドホック通信以外に存在するか否かを判定し、肯定判定となった場合にはステップ２０８に移行する。本実施の形態では、通信接続が切断されたことを通信装置１４に通知するアドホック通信以外の通信手段として、Ｅメールによる通信手段が挙げられる。そこで、ステップ２０８では、Ｅメールによりアドホック通信に係る通信接続が切断されたことを示すアドホック通信切断通知情報を通信装置１４に対して送信することにより通信装置１４に対してアドホック通信に係る通信接続が切断されたことを通知した後、本通信状態監視処理プログラムを終了する。一方、上記ステップ２００において否定判定となった場合及び上記ステップ２０６において否定判定となった場合には本通信状態監視処理プログラムを終了する。
【００５５】
図６は、上記の権利付与処理によって通信装置１４に対して権利が付与された場合にＣＰＵ１２Ａによって実行される画像提供処理プログラムの処理の流れの一例を示すフローチャートである。
【００５６】
図６のステップ３００では、後述する権利行使処理プログラムのステップ５０６の処理が通信装置１４によって実行されることで送信される権利情報の受信待ち（権利行使待ち）を行った後、ステップ３０２に移行し、上記ステップ３００の処理で受信された権利情報に含まれるアドレス情報又は転送先アドレスにより示されるアドレスの記憶領域（例えば記憶領域αや二次記憶部２４Ａにおける画像情報の記憶先）から画像情報を取得する。次のステップ３０４では、アドホック通信に係る通信接続が確立されるまで待機した後、ステップ３０６に移行し、上記ステップ３０２の処理で取得された画像情報を通信装置１４に送信するようにアドホック通信Ｉ／Ｆ１２Ｋに対する制御を開始した後、ステップ３０８に移行する。
【００５７】
ステップ３０８では、アドホック通信に係る通信接続が切断されたか否かを判定し、肯定判定となった場合にはステップ３１０に移行し、画像情報の送信制御を停止した後、本画像提供処理プログラムを終了する。なお、アドホック通信において画像情報の送信中に通信が途切れた場合（ステップ３０８が肯定判定になった場合）、画像情報をサーバ装置２４に移行させると共に、Ｅメールで新たな置き場（例えばサーバ装置２４の二次記憶部２４Ａにおけるアドレス）を通信装置１４に通知し、アドホック通信以外の通信手段により画像情報の送信要求を受付可能としても良い。これにより、仮にアドホック通信によって画像情報が送受信されない状態であっても別の通信手段（ここでは一例としてＥメール）を用いて画像情報が画像処理装置１２によって通信装置１４に送信され、送信された画像情報が通信装置１４によって受信されることになる。
ステップ３０８において否定判定となった場合にはステップ３１２に移行し、上記ステップ３００の処理で受信された権利情報に含まれるアドレス情報又は転送先アドレスにより示されるアドレスの記憶領域（例えば記憶領域αや二次記憶部１４Ａにおける画像情報の記憶先）に記憶されている画像情報の全てを送信したか否かを判定し、否定判定となった場合にはステップ３０８に戻る一方、肯定判定となった場合にはステップ３１４に移行する。ステップ３１４では、画像情報の送信制御を終了した後、ステップ３１６に移行し、上記ステップ３００の処理で受信された権利情報に含まれるアドレス情報又は転送先アドレスにより示されるアドレスの記憶領域（例えば記憶領域αや二次記憶部１４Ａにおける画像情報の記憶先）から画像情報を消去した後、本画像処理提供プログラムを終了する。
【００５８】
図７は、通知表示処理の実行を開始する指示が受付部１４Ｇによって受け付けられた場合にＣＰＵ１４Ａによって予め定められた時間（例えば３秒）間隔で実行される通知表示処理プログラムの処理の流れの一例を示すフローチャートである。
【００５９】
図７のステップ４００では、上記通信状態監視処理プログラムのステップ２０２の処理が実行されることで送信されるアドホック通信確立通知情報を受信したか否かを判定し、肯定判定となった場合にはステップ４０２に移行し、上記アドホック通信確立通知情報に対応する情報を表示部１４Ｈに表示した後、本通知表示処理プログラムを終了する。なお、本実施の形態では、アドホック通信確立通知情報に対応する情報として、「アドホック通信の接続が確立されました。」とのメッセージを適用しているが、これに限らず、このメッセージを読み上げる音声による可聴表示や画像形成機能を働かせて記録媒体に上記メッセージを印字する永久可視表示であっても良いし、これらを組み合わせた表示であっても良い。
【００６０】
一方、ステップ４００において否定判定となった場合にはステップ４０４に移行し、上記通信状態監視処理プログラムのステップ２０８の処理が実行されることで送信されるアドホック通信切断通知情報を受信したか否かを判定し、否定判定となった場合には本通知表示処理プログラムを終了する一方、肯定判定となった場合にはステップ４０６に移行し、上記アドホック通信切断通知情報に対応する情報を表示部１４Ｈに表示した後、本通知表示処理プログラムを終了する。なお、本実施の形態では、アドホック通信切断通知情報に対応する情報として、「アドホック通信の接続が切断されました。」とのメッセージを適用しているが、これに限らず、このメッセージを読み上げる音声による可聴表示や画像形成機能を働かせて記録媒体に上記メッセージを印字する永久可視表示であっても良いし、これらを組み合わせた表示であっても良い。
【００６１】
このように、通信装置１４の表示部１４Ｈを通して、アドホック通信に係る通信接続の状態が把握されるので、利用者は都合の良い時期に画像情報の提供が受けられる。
【００６２】
図８は、権利行使処理の実行を開始する指示が受付部１４Ｇによって受け付けられた場合にＣＰＵ１４Ａによって実行される権利行使処理プログラムの処理の流れの一例を示すフローチャートである。なお、ここでは、錯綜を回避するために、アドホック通信に係る通信接続が確立されている場合について説明する。
【００６３】
図８のステップ５００では、上記権利付与処理プログラムのステップ１０８〜１１２の処理が実行されることで送信される権利情報の受信待ちを行った後、ステップ５０２に移行し、上記ステップ５００の処理で受信された権利情報を二次記憶部１４Ｄの予め定められた記憶領域βに記憶した後、ステップ５０４に移行する。
【００６４】
ステップ５０４では、記憶領域βに記憶されている権利情報により示される権利を行使する指示が受付部１４Ｇによって受け付けられるまで待機した後、ステップ５０６に移行し、記憶領域βから権利情報を取得し、取得した権利情報を画像処理装置１２に送信することで権利を行使する。これに応じて、画像処理装置１２では、上記画像提供処理プログラムのステップ３００の処理が肯定判定となる。
【００６５】
次のステップ５０８では、上記画像提供処理プログラムの３０６の処理が実行されることで送信される画像情報の受信待ちを行った後、ステップ５１０に移行し、記憶領域αに記憶されている画像情報の全てを受信したか否かを判定し、否定判定となった場合にはステップ５０８に戻る一方、肯定判定となった場合にはステップ５１２に移行する。ステップ５１２では、記憶領域βから権利情報を消去した後、本権利行使処理プログラムを終了する。
【００６６】
このように、通信装置１４に対して事前に権利を付与しておくことで、通信装置１４が通信圏外に移動したとしても、再度通信エリアに入ったときに、既に付与された権利を利用者（通信装置１４の所持者）にとって都合の良いタイミング（画像情報の送信が完遂するまで通信エリア内に滞在することが判っているタイミング）で行使することにより、アドホック通信を中断することなく画像処理装置１２によって画像情報が通信装置１４に提供される。つまり、通信装置１４を介して画像処理装置１２から画像情報の提供を受ける者にとって都合の良いタイミングで画像処理装置１２から画像情報の提供を受けるようにしているので、画像情報の無線送信（アドホック通信による送信）が中断されずに完遂される。
【００６７】
なお、上記実施の形態では、画像の読み取りが完了してから権利付与に係る本格的な処理（図４に示すフローチャートのステップ１０６以降の処理）を開始する場合の形態例を挙げて説明したが、これに限らず、画像の読み取りが行われている間に権利付与に係る本格的な処理を開始するようにしても良い。この場合の具体的な処理の一例が図９に示されている。図９は、図４に示す権利付与処理プログラムの処理の流れの変形例を示すフローチャートである。図９に示すフローチャートは、図４に示すフローチャートに比べ、ステップ１０２，１０４を削除した点、ステップ１１４に代えてステップ１１４Ｂを適用した点、及びステップ１０２Ｂ，１０４Ｂ，１０５を新たに設けた点が相違している。図９のステップ１０６において否定判定となった場合にはステップ１１４Ｂに移行する。ステップ１１４Ｂでは、アドホック通信に係る通信接続を確立させるためのポーリングが開始されてから予め定められた時間（例えば３０秒）経過したか否かを判定し、否定判定となった場合にはステップ１０６に戻る一方、肯定判定となった場合にはステップ１０２Ｂに移行する。
【００６８】
ステップ１１２において肯定判定となった場合にはステップ１０２Ｂに移行し、上記ステップ１０２の処理に相当する処理を実行した後、ステップ１０４Ｂに移行し、上記ステップ１０４の処理に相当する処理を実行した後、ステップ１０５に移行する。ステップ１０５では、時間切れ処理が不必要であるか否かを判定する。ここで、時間切れ処理とは、上記ステップ１１４Ｂにおいて肯定判定となった場合に実行が必要となる処理のことであり、具体的にはステップ１１６〜ステップ１３２の処理のことを意味する。
【００６９】
ステップ１０５において肯定判定となった場合には本権利付与処理プログラムを終了する一方、否定判定となった場合にはステップ１１６に移行する。このように、画像の読み取りが実行されている期間に通信装置１４に対して権利を付与しておくことで、画像の読み取りが実行されている期間に通信装置１４が通信圏外に移動したとしても、再度通信エリアに入ったときに、既に付与された権利を行使することにより、アドホック通信を中断することなく画像処理装置１２によって画像情報が通信装置１４に提供される。
【００７０】
また、上記実施の形態では、アドホック通信の接続が確立されない場合に電子メールを用いた通信手段を介して画像処理装置１２から通信装置１４に対して権利を付与する場合の形態例を挙げて説明したが、これに限らず、アドホック通信の接続が確立されない場合にインフラストラクチャモードにより通信を行う通信手段を用いて画像処理装置１２から通信装置１４に対して権利を付与しても良い。この場合、例えば図１０に示すように、図２に示す画像処理装置１２のＥメール送受信部１２Ｊに代えてインフラストラクチャ通信部１２Ｎを、通信装置１４のＥメール送受信部１４Ｊに代えてインフラストラクチャ通信部１４Ｎを各々適用すると共に、インターネット回線１６に代えて無線ＬＡＮアクセスポイント１６Ｂを適用すれば良い。なお、図１０に示す例では、親機に相当する無線ＬＡＮアクセスポイント１６Ｂを介して、各々子機に相当する画像処理装置１２及び通信装置１４同士が無線通信を行う形態が示されている。このように、アドホック通信に係る通信接続が確立されない場合は、代替の通信手段を用いて画像処理装置１２から通信装置１４に権利を付与することで、権利が通信装置１４に付与されないという事態の発生が回避される。
【００７１】
また、上記実施の形態では、受付部１２Ｅによって受け付けられた利用者からの指示に基づいてデータベース２３を事前に構築しておく場合の形態例を挙げて説明したが、これに限らず、画像処理装置１２の出荷前に画像処理装置１２の設計仕様に応じて所定の項目毎に転送情報、消去情報、及びＥメール情報を対応付けることによりデータベース２３に相当するデータベースを構築しておいても良い。また、出荷前の画像処理装置１２の設計仕様に基づいて所定の項目毎に定められた転送情報、消去情報、及びＥメール情報に加え、画像処理装置１２の出荷後に受付部１２Ｅによって受け付けられた利用者からの指示に基づいてＩＤ毎に転送情報、消去情報、及びＥメール情報を対応付けることによりデータベース２３に相当するデータベースを構築しても良い。
【００７２】
また、上記実施の形態では、権利付与処理を実行する前段階で通信装置１４に係るＩＤ及びＥメールアドレスを取得している場合を前提に説明したが、これに限らず、画像処理装置１２は、画像読取の前段階、画像読取の実行期間、又はアドホック通信時に通信装置１４からＩＤを取得するように通信装置１４に働きかけ、これによって事前に通信装置１４からＩＤを取得しておき、画像情報を送信するときに（例えば図６に示すステップ３０６）、取得済みのＩＤに基づいて画像情報を送信するか否かを判断しても良い。これにより、セキュリティ面が強化される。
また、画像処理装置１２は、画像読取の前段階、画像読取の実行期間、又はアドホック通信時に通信装置１４からＥメールアドレスを取得するように通信装置１４に対して働きかけ、Ｅメールアドレスの取得に成功した場合、取得したＥメールアドレスに対してＥメールにより権利情報を送信しても良い。この場合もセキュリティ面が強化される。
【符号の説明】
【００７３】
１０  画像処理システム
１２  画像処理装置
１２Ａ  ＣＰＵ
１２Ｄ  データベース
１２Ｈ  読取部
１２Ｋ，１４Ｋ  アドホック通信Ｉ／Ｆ
１２Ｊ，１４Ｊ  Ｅメール送受信部
１２Ｎ，１４Ｎ  インフラストラクチャ通信部
１４  通信装置
１４Ｈ  表示部
１６  インターネット回線
１６Ｂ  無線ＬＡＮアクセスポイント
２３  データベース
２４  サーバ装置
２４Ａ  二次記憶部
【図１】
0005866903.tif 000002
【図２】
0005866903.tif 000003
【図３】
0005866903.tif 000004
【図４】
0005866903.tif 000005
【図５】
0005866903.tif 000006
【図６】
0005866903.tif 000007
【図７】
0005866903.tif 000008
【図８】
0005866903.tif 000009
【図９】
0005866903.tif 000010
【図１０】
0005866903.tif 000011